(57)【要約】【課題】ディスプレイパネルとガイドフレームが一定の間隔を維持し、衝撃を吸収できるディスプレイ装置及びその製造方法を提供する。【解決手段】本発明のディスプレイ装置は、上部基板、上記上部基板の後面に対向合着された下部基板を含むディスプレイパネル;上記ディスプレイパネルを支持するガイドフレーム;及び上記ガイドフレーム及び上記ディスプレイパネルを結合する結合部材を含んで構成され、上記結合部材は、上記ガイドフレーム及び上記ディスプレイパネルと接着されるメイン接着部材と、上記メイン接着部材の側面に形成され、上記ガイドフレームと接着される補助接着部材を含む。【選択図】図４
2014126874.tif 000002
【特許請求の範囲】
【請求項１】
上部基板、上記上部基板の後面に対向合着された下部基板を含むディスプレイパネル、
上記ディスプレイパネルを支持するガイドフレーム、及び
上記ガイドフレーム及び上記ディスプレイパネルを結合する結合部材を含むように構成され、
上記結合部材は、
上記ガイドフレーム及び上記ディスプレイパネルを接着させるメイン接着部材及び
上記メイン接着部材と隣接して上記ガイドフレームに接着される補助接着部材を含むことを特徴とするディスプレイ装置。
【請求項２】
上記補助接着部材は、上記メイン接着部材の両側または片側の側面に接触または隣接して形成されたことを特徴とする請求項１に記載のディスプレイ装置。
【請求項３】
上記補助接着部材は、上記メイン接着部材を取り囲むように形成されることを特徴とする請求項１に記載のディスプレイ装置。
【請求項４】
上記補助接着部材は、上記メイン接着部材の高さより低く形成されることを特徴とする請求項１に記載のディスプレイ装置。
【請求項５】
上記補助接着部材の接着剤物質の粘度は、上記メイン接着部材の接着剤物質の粘度より大きいことを特徴とする請求項１に記載のディスプレイ装置。
【請求項６】
上記ガイドフレームは、上記ディスプレイパネルの側面を覆わず、上記ディスプレイパネルの下面を支持する水平部及び上記水平部から延長されて形成された垂直部を含むことを特徴とする請求項１に記載のディスプレイ装置。
【請求項７】
上記メイン接着部材と補助接着部材は、上記ガイドフレームの水平部に形成されることを特徴とする請求項６に記載のディスプレイ装置。
【請求項８】
ディスプレイパネル下面と対向する水平部及び上記水平部から延長されて形成された垂直部を含むガイドフレームを設ける段階、
上記水平部上に補助接着部材を塗布して硬化させる段階、
上記水平部上に上記補助接着部材と接触または隣接してメイン接着部材を塗布する段階、
上記ガイドフレーム及び上記ディスプレイパネルを結合して上記ディスプレイパネルの下面と上記メイン接着部材を接触させる段階、及び
上記メイン接着部材を硬化させる段階を含み、
上記硬化されたメイン接着部材は、上記補助接着部材より高い高さを有することを特徴とするディスプレイ装置の製造方法。
【請求項９】
上記メイン接着部材及び補助接着部材は、自然硬化、熱または紫外線によって硬化されることを特徴とする請求項８に記載のディスプレイ装置の製造方法。
【請求項１０】
上記補助接着部材の接着剤物質の粘度は、上記メイン接着部材の接着剤物質の粘度より大きいことを特徴とする請求項８に記載のディスプレイ装置の製造方法。
【発明の詳細な説明】
【技術分野】
【０００１】
本発明はケース及びセットカバーの一部を除去したディスプレイ装置及びその製造方法に関する。
【背景技術】
【０００２】
最近、陰極線管(CathodeRayTube)の短所である重さと体積を低減できる各種の平板形態のディスプレイ装置が開発されている。平板形態のディスプレイ装置として、液晶表示装置(LiquidCrystalDisplayDevice)、プラズマディスプレイパネル(PlasmaDisplayPanel)、電界放出表示装置(FieldEmissionDisplayDevice)、発光表示装置(LightEmittingDisplayDevice)などが活発に研究されているが、量産化技術、駆動手段の容易性、高画質の具現という長所から液晶表示装置が脚光を浴びている。
【０００３】
近年、フラットパネルディスプレイ装置の技術的側面の研究開発とともに、需要者に対し、感性的によりアピールできる製品デザイン側面の研究開発の必要性が増加している。これにより、ディスプレイ装置の厚さを最小化(スリム化)する努力が着実に進行されており、需要者の美的感覚に訴えて購買を刺激することができる、美感を増加したデザインに対する要求が次第に高くなっている。
【０００４】
しかし、現在まで進行されてきたディスプレイ装置のスリム化または美感増加のためのデザイン開発は、従前のディスプレイ装置を構成する構成要素をそのまま採用しながら、その構成要素の構造を一部変更する方式で進行されてきたため、ディスプレイ装置のスリム化や新たなデザインを開発するにあたり、ある程度の限界がある。
【０００５】
例えば、液晶表示装置の場合、従来は、液晶ディスプレイパネルとバックライトユニットを収容するために下部ケースと上部ケースが必須的に用いられ、また、ノートパソコン、モニタ、モバイル機器またはテレビなどに製品化するために別途の前面セットカバーと背面セットカバーが追加的に用いられた。
【０００６】
このように、下部ケースと上部ケース、及びこれに加えて製品の前面及び背面セットカバーが必須的に用いられることによって液晶表示装置の厚さを低減すること、またはデザインを変更することには限界があった。特に、上部ケース及び前面セットカバーは、液晶ディスプレイパネルの前面縁部を必須的に覆うようになるため、液晶表示装置の厚さは必然的に厚くなり、また液晶表示装置の枠幅が増加し、したがって、枠部分の段差によって多様で革新的なデザインを考案するのに障害となっている。
【０００７】
以下、図面を参照して従来の液晶表示装置についてより詳細に説明する。
【０００８】
図１は、従来の液晶表示装置の概略的な断面図である。
図１から理解されるように、従来の液晶表示装置は、上部基板１０、下部基板２０、駆動部３０、ガイドフレーム４１、支持ケース４２、バックライトユニット５０、下部カバー６１、及び上部カバー６２を含んで構成される。
【０００９】
上記上部基板１０と下部基板２０は封止剤(sealant)により合着され、両基板１０、２０の間には液晶層(図示せず)が形成されている。
【００１０】
図示されていないが、上記上部基板１０上には、ブラックマトリックス及びカラーフィルタが形成され、上記下部基板２０上には、ゲート配線、データ配線、薄膜トランジスタ、及び画素電極が形成されている。
【００１１】
上記駆動部３０は、上記下部基板２０上に形成されたゲート配線及びデータ配線に信号を印加して液晶表示装置を駆動させる。このように、下部基板２０上に形成されたゲート配線及びデータ配線に信号を印加するために、上記下部基板２０の片側周辺部は上記上部基板１０の片側周辺部より長く延長され、上記駆動部３０は上記長く延長された下部基板２０の片側周辺部に連結されている。
【００１２】
上記ガイドフレーム４１は、合着基板１０，２０及びバックライトユニット５０の位置を案内し、上記支持ケース４２は、上記バックライトユニット５０を支持する。
【００１３】
上記バックライトユニット５０は、光源５１、導光板５２、光学シート５３、及び反射板５４を含んで構成される。
【００１４】
上記下部カバー６１及び上部カバー６２は、前述した全ての構成を取り囲みながら液晶表示装置の後面カバーとして機能する。
この時、上記上部カバー６２は、上部基板１０の上面周辺部、特に、4面全ての周辺部を覆うように形成されることによって、上記駆動部３０が外部に露出されるのを防止するとともに上記上部基板１０の周辺部で光の漏洩が発生するのを防止する。
【００１５】
しかし、このように上部カバー６２が上記上部基板１０の４面すべての周辺部を覆うように形成されることによって、液晶表示装置の４面すべてに段差が生じ、液晶表示装置の４面すべてのベゼル(Bezel)の幅が増加される等、液晶表示装置の美感が低下するという短所がある。
【発明の概要】
【発明が解決しようとする課題】
【００１６】
本発明は上述した問題を解決するためのものであって、ケース及びセットカバーの一部を除去して厚さを最小化し、前面の枠幅を最小化するとともに前面の枠部分の段差を除去できるようにしたディスプレイ装置及びその製造方法を提供することを技術的課題とする。
また、ディスプレイパネルとガイドフレームが一定の間隔を維持し、衝撃を吸収できるディスプレイ装置及びその製造方法を提供することを技術的課題とする。
また、付加的にディスプレイパネルの光の漏洩が発生する問題を最小化できるディスプレイ装置及びその製造方法を提供することを技術的課題とする。
【課題を解決するための手段】
【００１７】
本発明は上述したような目的を達成するために、上部基板、上記上部基板の後面に対向合着された下部基板を含むディスプレイパネル、上記ディスプレイパネルを支持するガイドフレーム、及び上記ガイドフレーム及び上記ディスプレイパネルを結合する結合部材を含むように構成され、上記結合部材は、上記ガイドフレーム及び上記ディスプレイパネルと接着されるメイン接着部材と、上記メイン接着部材側面に形成され、上記ガイドフレームと接着される補助接着部材を含むことを特徴とするディスプレイ装置を提供する。
【００１８】
また、本発明は上述したような目的を達成するために、ディスプレイパネル下面と対向する水平部及び上記水平部から延長されて形成された垂直部を含むガイドフレームを準備する段階、上記水平部上に補助接着部材を塗布して硬化させる段階、上記水平部上に上記補助接着部材と接触または隣接してメイン接着部材を塗布する段階、上記ガイドフレーム及び上記ディスプレイパネルを結合して上記ディスプレイパネルの下面と上記メイン接着部材を接触させる段階、及び上記メイン接着部材を硬化させる段階を含み、上記硬化されたメイン接着部材は、上記補助接着部材より高い高さを有することを特徴とするディスプレイ装置の製造方法を提供する。
【発明の効果】
【００１９】
本発明によると、次のような効果を得ることができる。
第１に、上部ケース及び前面セットカバーを除去して厚さ及び前面の枠幅を最小化するとともに、枠部分の段差を除去してデザイン側面の美感を向上させることができる。
第２に、ディスプレイパネル及びガイドパネルの接着力を向上させることができ、小さい接着面積でもディスプレイパネル及びガイドパネルを接着させることができる。
第３に、ディスプレイパネルに印加される衝撃を吸収することができ、ディスプレイパネルの安定性が向上する。
第４に、ディスプレイパネル及びガイドパネル間の光の漏洩現象を減少させることができる。
【図面の簡単な説明】
【００２０】
【図１】図１は、従来の液晶表示装置の概略的な断面図である。
【図２】図２は、本発明によるディスプレイ装置の一実施例を示す斜視図である。
【図３】図３は、図２による本発明のディスプレイ装置における一実施例を示す平面図である。
【図４】図４は、図２による本発明のディスプレイ装置におけるＡ−Ａ’線の断面に関する一実施例を示す断面図である。
【図５】図５は、本発明によるガイドフレームの側面での構造に関する一実施例を示す図面である。
【図６】図６は、本発明によるメイン接着部材と補助接着部材の形状構造に関する一実施例を示す図面である。
【図７ａ】図７ａは、本発明によるディスプレイ装置の製造方法の一実施例を示す図面である。
【図７ｂ】図７ｂは、本発明によるディスプレイ装置の製造方法の一実施例を示す図面である。
【図７ｃ】図７ｃは、本発明によるディスプレイ装置の製造方法の一実施例を示す図面である。
【図７ｄ】図７ｄは、本発明によるディスプレイ装置の製造方法の一実施例を示す図面である。
【発明を実施するための形態】
【００２１】
以下において、本発明によるディスプレイ装置及びその製造方法について、図面を参照して詳細に説明する。
【００２２】
図２は、本発明によるディスプレイ装置の一実施例を示す斜視図であり、図３は、図２による本発明のディスプレイ装置における一実施例を示す平面図であり、図４は、図２による本発明のディスプレイ装置におけるＡ−Ａ’線の断面に関する一実施例を示す断面図であり、図５は、本発明によるガイドフレームの側面での構造を示した図面である。
【００２３】
図２〜図５から分かるように、本発明によるディスプレイ装置の一実施例は、ディスプレイパネル１００、バックライトユニット２００、カバー部材３００、ガイドフレーム４００及び接着部材５００を含むことができる。
【００２４】
ディスプレイパネル１００は、上部基板１１０、液晶層(図示せず)を介して上部基板１１０に対向合着された下部基板１２０、下部基板１２０の後面に形成された下部偏光フィルム１３０、及び上部基板１１０の前面に形成された上部偏光フィルム１４０を含むことができる。
【００２５】
下部基板１２０は、複数のゲートライン（図示せず）と複数のデータライン（図示せず）によって交差する領域ごとに形成された複数の画素（図示せず）を含む。各画素は、ゲートラインとデータラインに接続された薄膜トランジスタ（図示せず）及び薄膜トランジスタに接続された画素電極、及び画素電極に隣接するように形成されて共通電圧が供給される共通電極を含んで構成され得る。この時、共通電極は、液晶層の駆動方式によって上部基板１１０に形成され得る。このような、下部基板１２０は、各画素に印加されるデータ電圧と共通電圧の差を示す電圧に対応する電界を形成して液晶層の光透過率を調節する。
【００２６】
上部基板１１０は、下部基板１２０に形成された各画素に対応するカラーフィルタを含むように構成され、液晶層を介して下部基板１２０と対向合着される。この時、上部基板１１０には、液晶層の駆動方式によって共通電圧が供給される共通電極が形成され得る。このような、上部基板１１０は、液晶層を透過して入射される光をカラーフィルタでフィルタリングし、所定のカラー光を外部に放出させることによって、ディスプレイパネル１００に所定のカラー画像が表示されるようにする。
【００２７】
一方、下部基板１２０及び上部基板１１０の具体的な構成は、液晶層の駆動モード、例えばTN(TwistedNematic)モード、VA(VerticalAlignment)モード、IPS(Inplaneswitching)モード、及びFFS(Fringefieldswitching)モードなどによって、当業界に公知された多様な形態に形成されることができる。
【００２８】
一方、上部基板１１０がカラーフィルタを含み、下部基板１２０が複数のゲートラインと複数のデータライン及び薄膜トランジスタを含むディスプレイパネル１００を説明したが、本発明はこれに限定されない。これとは反対の構造である、上部基板１００が複数のゲートラインと複数のデータライン及び薄膜トランジスタを含み、下部基板１２０がカラーフィルタを含むディスプレイパネル１００構造に対しても、十分に適用することができる。
【００２９】
下部偏光フィルム１３０は、下部基板１２０の後面に付着され得る。下部偏光フィルム１３０は、下部基板１２０の後面に付着され、バックライトユニットからディスプレイパネル１００に照射される光を偏光する。
【００３０】
上部偏光フィルム１４０は、上部基板１１０の前面に形成されてディスプレイパネル１００を通じて透過した光を偏光する。
【００３１】
一方、図示されていないが上記上部偏光フィルム１４０の上面には、リターダフィルムが形成され得る。リターダフィルムは、上記上部偏光フィルム１４０の前面全体に結合され得ると共に、一定の間隔に形成された複数の第１リターダパターンと上記複数の第１リターダパターンの間ごとに形成された複数の第２リターダパターンを含み得る。
【００３２】
リターダフィルムは、上部偏光フィルム１４０の前面に結合されて左眼映像と右眼映像を分離する。このために、リターダフィルムは、左眼映像が表示されるディスプレイパネル１００の垂直または水平ラインに重畳するように形成された複数の第１リターダパターンと、右眼映像が表示されるディスプレイパネル１００の垂直または水平ラインに重畳するように複数の第１リターダパターンの間ごとに形成された複数の第２リターダパターンを含んで構成される。このような、第１及び第２リターダパターンは、ディスプレイパネル１００から外部に放出される左眼映像と右眼映像の光軸を互いに異なる光軸に変換する。
【００３３】
バックライトユニット２００は、カバー部材３００に収納される導光板２１０、反射シート２２０、及び光学部材２３０を含む。
【００３４】
導光板２１０は、平板形態(または楔形態)に形成され、光源(図示せず)から入光面を通じて入射される光をディスプレイパネル１００側に進行させる。この時、光源は、蛍光ランプまたは発光ダイオードを含むように構成され得る。
【００３５】
反射シート２２０は、導光板２１０の後面に配置されて導光板２１０から入射される光をディスプレイパネル１００側に反射させる。
【００３６】
光学部材２３０は、導光板２１０上に配置されて導光板２１０からディスプレイパネル１００側に進行する光の輝度特性を向上させる。このために、光学部材２３０は、少なくとも１つ以上の拡散シート及びプリズムシートを含んで構成され得る。
【００３７】
カバー部材３００は、セットプレート３１０、側面部３２０、及び第１締結部３２５を含み得る。
【００３８】
カバー部材３００は、上記バックライトユニット２００を収納し、位置を整列する。一実施例において、カバー部材３００は、上述したバックライトユニット２００を収納し、ディスプレイパネル１００とガイドフレーム４００の側面を支持することによって製品化されたディスプレイ装置の後面製品カバーの役割をすることも可能である。ただし、図４においてはカバー部材３００がガイドフレーム４００の内側面を支持しているが、必ずしもこれに限定されるものではなく外側面を支持する形態に形成され得る。
【００３９】
セットプレート３１０は平板形態に形成され、上述したバックライトユニット２００を支持することによって、製品化されたディスプレイ装置の後面製品カバーの役割をする。側面部３２０は、セットプレート３１０の縁部から垂直に折曲されて形成される。一実施例において、側面部３２０はバックライトユニット２００と同じ高さに形成され得る。
【００４０】
第１締結部３２５は、第２締結部４２５に対応するように側面部３２０の内側壁から所定の深さを有するように凹んで形成される。これにより、第２締結部４２５は、第１締結部３２５に挿入されることによってガイドフレーム４００とカバー部材３００とを相互結合させる。
【００４１】
この時、第２締結部４２５の段差面は、第１締結部３２５に結合された第２締結部４２５の離脱を防止する役割をし、第２締結部４２５の傾斜面は、第１及び第２締結部(３２５、４２５)の結合を容易にする役割をする。
【００４２】
上記第１締結部３２５が凹んで形成され、上記第２締結部４２５が段差面及び傾斜面を有することを説明したが、これだけに限定されることなく反対に第１締結部３２５が段差面及び傾斜面を有し、第２締結部４２５が凹部を有することも可能である。
【００４３】
追加的に上記側面部３２０とガイドフレーム４００の結合強度を高めるためにスクリュなども締結可能である。
【００４４】
ガイドフレーム４００は、上記ディスプレイパネル１００を支持し、上記ディスプレイパネル１００及び上記バックライトユニット２００の位置を案内する。このためにガイドフレーム４００は、水平に延長されて形成された水平部４１０、水平部４１０の一端において垂直に折曲されて延長された垂直部４２０を含む。
【００４５】
水平部４１０は、ディスプレイパネル下部に位置してディスプレイパネル１００を支持することが可能である。
【００４６】
結合部材５００は、ディスプレイパネル１００の下部基板１２０とガイドフレーム４００を互いに結合する役割をする。このために弾性及び粘性のある物質で構成されたメイン接着部材５１０と補助接着部材５２０を含む。
【００４７】
上記メイン接着部材５１０は、液状成分の接着剤であって上記ガイドフレーム４００の水平部４１０一部と上記ディスプレイパネル１００の下部基板１２０と接着され、ディスプレイパネル１００をガイドフレーム４００及びカバー部材３００に固定する役割をする。
【００４８】
上記補助接着部材５２０は、上記メイン接着部材５１０の両側または一側の側面で接触または隣接して形成される。補助接着部材５２０は、上記メイン接着部材５１０の形成のための液状成分の接着剤塗布時に予め形成され、接着剤の外部拡散を防止するガイドの役割をすることが可能である。
【００４９】
このために上記メイン接着部材５１０及び補助接着部材５２０は、光または熱によって硬化される物質としてアクリル系、ゴム系、シリコーン系などの接着性質を有する物質のうち少なくとも１つ以上の物質を含むことができる。
【００５０】
速い硬化のためにUV光を用いることができ、このために上記液状成分の接着剤として光硬化性オリゴマー樹脂を用いることができる。光硬化性オリゴマー成分の例としては、ウレタン変性(メタ)アクリレート、カーボネート基導入ウレタン変性(メタ)アクリレート、シリコーン導入ウレタン変性(メタ)アクリレートなどがある。
【００５１】
ウレタン変性(メタ)アクリレートの例としては、日本特開2006-89627、日本特開2008-291114、カーボネート基導入ウレタン変性(メタ)アクリレートの例としては、日本特開2006-45341、日本特開2007-314768、シリコーン導入ウレタン変性(メタ)アクリレートの例としては、日本特開2007-308680に記載されたものがあるが、これらに限定されない。
【００５２】
図６は、メイン接着部材５１０及び補助接着部材５２０が形成されたガイドフレーム４００の水平部４１０を上面から示した図面である。
【００５３】
メイン接着部材５１０は、補助接着部材５２０が形成された領域の間に形成される。この時、メイン接着部材５１０の液状接着剤がディスプレイパネル１００とガイドフレーム４００の結合時に圧着によって外部に拡散される問題を防止するように、上記補助接着部材５２０が一種のダム(DAM)または壁(WALL)の役割をするようになる。
【００５４】
上記補助接着部材５２０無しで結合する場合は、液状接着剤が外部に拡散することができ、拡散による不良を最小化するためにディスプレイパネル１００の外郭枠部が広くなるため、上記補助接着部材５２０を構成すると液状接着剤の接着幅を最小化して枠部を最小化できる効果がある。
【００５５】
図６においてはメイン接着部材５１０の両側面に補助接着部材５２０が形成されるものを示したが、形成位置及び形状はこれだけに限定されない。他の実施例によると、外郭枠部を最小化するために液状接着剤が外部に拡散するのを防止するためにメイン接着部材５１０の外側の側面のみに形成され得る。
【００５６】
更に他の実施例によると、補助接着部材５２０は、メイン接着部材５１０の側面だけでなくメイン接着部材５１０を取り囲むように形成され、液状接着剤が外部に拡散することを一層防止することができる。
【００５７】
また、上記メイン接着部材５１０と補助接着部材５２０は、ガイドフレーム４００の全体の枠に渡って一体に形成されることができ、特定領域のみに形成されることもできる。
【００５８】
ディスプレイパネル１００を空隙及び伸縮なしにガイドフレーム４００と接着する場合、温度や外部からの衝撃によりディスプレイパネル１００に損傷が加えられる場合があり、衝撃が激しい場合、ディスプレイパネル１００が割れる等破損する危険がある。
【００５９】
またディスプレイパネル１００を空隙なしに固定する場合には、外部温度に応じて熱膨張率等の差によってディスプレイパネル１００に局所的に変形が発生する場合があり、バックライト２００から出射された光の経路を変形させてしまうため、液晶表示装置の弱点である光の漏洩現象が発生しやすい。従ってこれを防止するために上記メイン接着部材５１０は、ディスプレイパネル１００が空隙を有するために、一定の高さ及び伸縮を有して形成されることが好ましい。
【００６０】
上記補助接着部材５２０の硬化後の高さは、上記メイン接着部材５１０の硬化された高さより低い。メイン接着部材５１０は、上記ディスプレイパネル１００の下部面と直接的に接触するようになり、上記補助接着部材５２０は、上記ディスプレイパネル１００と接触せずに空隙を有するようになる。
【００６１】
上記補助接着部材５２０は、上記メイン接着部材５１０の液状接着剤が外部に溢れて拡散されるのを防止するとともに、ディスプレイパネル１００のZ軸の動きを制限する。
【００６２】
ディスプレイパネル１００の動きは、光の漏洩及び衝撃の最小化のために必要ではあるが、ディスプレイパネル１００が過度にガイドフレーム４００の方向に押される場合には、両部品の直接的な接触を通じて部品が破損する問題が発生する可能性があり、また望まない光の漏洩等の問題が発生することができる。
【００６３】
従って、この問題を最小化するために、補助接着部材５２０が一定の高さに形成され、硬化した補助接着部材５２０の高さは、補助接着部材５２０に最大押圧をかけることが可能な高さに制限される。
【００６４】
上記補助接着部材５２０は、上記メイン接着部材５１０に対し、ディスプレイパネル１００とガイドフレーム４００の接着及び伸縮による空隙を与え、押圧による破損を防止するためにメイン接着部材５１０の接着剤材料よりも高い硬度の高粘度接着剤であることを特徴とする。
【００６５】
上述した本発明によるディスプレイ装置の実施例それぞれは、ディスプレイパネル１００とバックライトユニット２００を含むように構成され、液晶ディスプレイ製品を構成するものとして説明した。しかし、本発明によるディスプレイ装置が必ずしもこれに限定されるものではなく、ディスプレイパネル１００は、有機発光素子を含む有機発光ディスプレイパネル(OrganicLightEmittingDisplayPanel)に代替されることもできる。この場合、有機発光ディスプレイパネルは自発光素子であるためバックライトユニット２００は省略され得る。
【００６６】
この場合、有機発光ディスプレイパネルで構成されたディスプレイパネル１００は、下部基板と下部基板に対向合着された上部基板を含むことが可能である。
【００６７】
下部基板は、ゲートライン、データライン、及び電源ラインによって定義される領域ごとに形成された複数の発光セルを含む。複数の発光セルそれぞれは、ゲートラインとデータラインに接続された少なくとも１つのスイッチングトランジスタ、スイッチングトランジスタと電源ラインに接続された少なくとも１つの駆動トランジスタ、及び駆動トランジスタのスイッチングにより制御される流によって発光する発光素子を含み得る。
【００６８】
上部基板は、下部基板に対向合着されて下部基板に形成された発光素子を保護する。この時、上部基板は、下部基板に形成された駆動トランジスタに接続される発光素子を含むことができ、この場合、下部基板に形成された発光素子は省略される。
【００６９】
図７ａ〜図７ｄは、本発明によるディスプレイ装置の製造方法の一実施例を示す。
まず、図７ａから了解される通り、ディスプレイパネル１００に光を供給するバックライトユニット２００をカバー部材３００に収納する。その上にディスプレイパネル１００の側面を露出させ、上記ディスプレイパネル１００の下面を支持する水平部４１０及び上記水平部４１０から延伸する垂直部４２０を含むガイドフレーム４００は、カバー部材３００と結合される。この時、上記ガイドフレーム４００は、ディスプレイパネル１００の側面を被覆しない。
【００７０】
次に、図７ｂから了解される通り、上記水平部４１０上に補助接着部材５２０を塗布する。このために上記水平部４１０上にディスペンサ装備を用いて液状接着剤を塗布する。
【００７１】
上記補助接着部材５２０は、メイン接着部材５１０が形成される位置の両側面または一側面に形成され、ガイドフレーム４００の全体の枠に渡って一体に形成されることができ、特定領域にのみ形成されることができる。
【００７２】
上記補助接着部材５２０は、アクリル系、ゴム系、シリコーン系などの光または熱によって硬化する物質のうち１つまたは複数の物質を含むことができる。
【００７３】
硬化を速めるためにUV光を用いることができ、このために上記液状成分の接着剤として光硬化性オリゴマー樹脂を用いることができる。光硬化性オリゴマー成分の例としては、ウレタン変性(メタ)アクリレート、カーボネート基導入ウレタン変性(メタ)アクリレート、シリコーン導入ウレタン変性(メタ)アクリレートなどがある。
【００７４】
以後の説明では、補助接着部材５２０に塗布されたいずれかの接着剤が硬化される。上記接着剤物質に応じて常温で事前に設定された時間の経過後に硬化したり、事前に設定された温度で熱を加えて硬化したり、紫外線を照射して硬化される。紫外線照射の場合は、装備によっては塗布作業と同時に硬化作業を実施することも可能である。
【００７５】
次に、図７ｃから分かるように、上記水平部４１０上にメイン接着部材５１０を塗布する。このために上記水平部４１０上にディスペンサ装備を用いて液状接着剤を塗布する。
【００７６】
上記メイン接着部材５１０は、補助接着部材５２０が形成された位置に塗布される。図６のようにメイン接着部材５１０は、補助接着部材５２０が形成された領域に隣接または接触して塗布され、ガイドフレーム４００の全体の枠に渡って一体に形成されることができ、特定領域のみに形成されることができる。
【００７７】
上記メイン接着部材５１０は、上記補助接着部材５２０と同一材料で形成することが可能であるが、互いに粘度が異ならせることも可能であり、ディスプレイパネル１００の衝撃による破損及び光の漏洩等の問題を最小化するために空隙を有するように形成されることが好ましいため、支持の役割をする補助接着部材５１０の物質よりも低い粘度に形成され得る。
【００７８】
次に、図７ｄから分かるように、上記ガイドフレーム４００及び上記ディスプレイパネル１００を結合する。メイン接着部材５１０がディスプレイパネル１００とガイドフレーム４００と接触しているためこれを硬化してディスプレイパネル１００をガイドフレーム４００と接着させる。上記メイン接着部材５１０の接着剤物質に応じて常温で事前に設定された時間の経過後に硬化したり、事前に設定された温度で熱を加えて硬化したり、紫外線を照射して硬化されるようにする。
【００７９】
上記ガイドフレーム４００及び上記ディスプレイパネル１００を結合する以前にメイン接着部材５１０の形状維持のために仮硬化作業を行うことができ、常温で一定時間硬化させたり、事前に設定された温度で熱を加えたり、紫外線を照射することが可能である。
【００８０】
上述したような本発明によるディスプレイ装置及びその製造方法によると、第１に、上部ケース及び前面セットカバーを除去して厚さ及び前面の枠幅を最小化するとともに枠部分の段差を除去してデザイン側面の美感を向上させることができる。
【００８１】
また、ディスプレイパネルとガイドフレームが一定の間隔を維持し、衝撃を吸収できるディスプレイ装置及びその製造方法を提供することを技術的課題とする。
【００８２】
また、ディスプレイパネルの光の漏洩発生の問題を最小化できるディスプレイ装置及びその製造方法を提供することを技術的課題とする。
【００８３】
本発明の属する技術分野の当業者は、上述した本発明がその技術的思想や必須的構成を変更せずに他の具体的な形態で実施されることができるということを理解できるはずである。
【００８４】
従って、以上において記述した実施例は、全ての面で例示的なものであり、限定的ではないものと理解されなければならない。本発明の範囲は、上記詳細な説明よりは後述する特許請求の範囲によって表され、特許請求の範囲の意味及び範囲そして等価の概念から導き出される全ての変更または変形された形態が本発明の範囲に含まれるものと解釈されなければならない。
【符号の説明】
【００８５】
100:ディスプレイパネル
10、110:上部基板
20、120:下部基板
130:下部偏光フィルム
140:上部偏光フィルム
200:バックライトユニット
300:カバー部材
310:セットプレート
320:側面部
400:ガイドフレーム
410:水平部
420:垂直部
500:結合部材
510:メイン接着部材
520:補助接着部材
【図１】
2014126874.tif 000003
【図２】
2014126874.tif 000004
【図３】
2014126874.tif 000005
【図４】
2014126874.tif 000006
【図５】
2014126874.tif 000007
【図６】
2014126874.tif 000008
【図７ａ】
2014126874.tif 000009
【図７ｂ】
2014126874.tif 000010
【図７ｃ】
2014126874.tif 000011
【図７ｄ】
2014126874.tif 000012